(57)【要約】【課題】本発明は高周波加熱装置のオリフィスとエアーガイドの形成方法に関するものであり、運搬効率や冷却性能の課題を解決すること。【解決手段】オリフィス１４とエアーガイド１５を一体にして平板状に形成し、各折り曲げ位置にスリット１４Ａ、１５Ａを設け、オリフィス１４とエアーガイド１５間には数個のさん１６を設け、組立て時にさん１６を切断して分離した後、各スリット位置で折り曲げて所定形状にし、オリフィス１４とエアーガイド１５を組み込む構成としたもので、平板状の簡単な形状で運搬されることから運搬効率の課題が解消される。また、運搬時での変形を少なくすることで、冷却手段１８が発生する風を安定させることができる。【選択図】　図１
2004101040.tif 000002
【特許請求の範囲】
【請求項１】
冷却手段が発生する風をガイドするオリフィスと、加熱室内に導くエアーガイドを一体にして平板状に形成し、各折り曲げ位置にスリットを設け、オリフィスとエアーガイド間には数個のさんを形成し、組立て時にオリフィスとエアーガイドのさんを切断して分離した後、各スリット位置で折り曲げて所定形状にし、オリフィスとエアーガイドを組み込むことを特徴とした高周波加熱装置。
【請求項２】
冷却手段が発生する風をガイドするオリフィスを平板状に形成し、オリフィスを形成する上面とフランジ部、上面と前面および前面と側面間にそれぞれスリットを設け、オリフィスのフランジ部より上面に延びた保持部（Ａ）と、オリフィスの前面より上面に延びた保持部（Ｂ）を形成し、オリフィス組み込み時に各スリット位置より折り曲げ、保持部（Ａ）および保持部（Ｂ）をオリフィス上面より立ち上げ、オリフィスの上方に配置するプリント基板を保持部（Ａ）および保持部（Ｂ）で保持することを特徴とした高周波加熱装置。
【請求項３】
エアーガイド上面に取り付けるランプユニットの一方の孔をエアーガイドに形成した爪に引っかけ、ランプユニットの他端をマグネトロン取付板に形成した突出し部とエアーガイド固定用ビスで挟持して、ランプユニットをエアーガイド上に保持することを特徴とした高周波加熱装置。
【発明の詳細な説明】
【０００１】
【発明の属する技術分野】
本発明１は、冷却手段が発生する風をガイドするオリフィスと、風を加熱室内に導くエアーガイドの形成方法に関するものである。
【０００２】
本発明２は、冷却手段が発生する風をガイドするオリフィスの構成に関するものである。
【０００３】
本発明３は、エアーガイド上面に取り付けるランプユニットの保持方法に関するものである。
【０００４】
【従来の技術】
従来より、図１０、図１１および図１２に示したように、冷却手段１が発生する風をガイドするオリフィス３や、風を加熱室２に導くエアーガイド４は、樹脂あるいは板金より別々に部品加工工程でそれぞれの形状に加工され、別々のパレットで組立工程まで運搬され、高周波加熱装置５に組み込まれていた。図１１はオリフィス３の外観を示し、図１２はエアーガイド４の外観を示している。
【０００５】
従来より、図１３に示したように、板金より形成されたオリフィス６上にプリント基板７を取り付ける場合、オリフィス６とプリント基板７間にホルダー８を介在させて取り付けていた。
【０００６】
従来より、図１４および図１５に示したように、高周波加熱装置９の加熱室内を照らすランプユニット１０はエアーガイド１１上に取り付けられることが多く、エアーガイド１１が板金より形成された場合、ランプユニット１０の一方の孔１０Ａをエアーガイド１１に形成した爪１１Ａに引っかけ、ランプユニット１０の他方の孔１０Ｂにビス１２を貫通させて、ランプユニット１０をエアーガイド１１上に固着する構成としていた。
【０００７】
【発明が解決しようとする課題】
しかしながら、前記図１０、図１１および図１２に示した従来の構成では、冷却手段１が発生する風をガイドするオリフィス３や、風を加熱室２内に導くエアーガイド４は、樹脂や板金からそれぞれ別々に所定形状に形成され、そして成形やプレス工程からぞれぞれ別々のパレットに積載されて組立工程まで運搬されており、それぞれの部品の運搬回数が多くなり、運搬効率が悪いといった課題があった。また、それぞれの複雑な形状から、パレットへの出し入れや運搬時に変形しやすく、変形した状態で組立てられると冷却手段１が発生する風を正常にガイドできないことから、多くの課題を発生させていた。すなわち、オリフィス３が変形していた場合には、マグネトロンや高圧トランスの冷却が不十分となり、高周波出力が低下して調理時間が長くなったり、マグネトロンや高圧トランスの温度が上昇して破損しやすくなるといった課題があった。例えば図１１に示したオリフィス３が二点鎖線で示したように３ｍｍ変形した場合、マグネトロンのアノード温度は１０ｄｅｇ上昇し、高圧トランスのコイル温度は６ｄｅｇ上昇する結果となった。また、エアーガイドが変形していた場合には、加熱室へ流れ込む風が減少し、加熱室内に蒸気が滞留して調理物が湿っぽくなるといった課題があった。オリフィスとエアーガイドは上記のように冷却性能や調理性能上重要な部品であるが、従来より別々に取り扱われ管理されており、性能上のトラブルを発生させやすいといった課題もあった。
【０００８】
しかしながら、前記図１３に示した従来の構成では、板金より形成したオリフィス６上にプリント基板７を取り付ける場合、オリフィス６とプリント基板７間にホルダー８を介在させていたことにより、部品点数が増し、省資源化、作業性や部品管理面で課題となっていた。
【０００９】
しかしながら、前記図１４および図１５に示した従来の構成では、ランプユニット１０の一方の孔１０Ａをエアーガイド１１に形成した爪１１Ａに引っかけ、ランプユニット１０の他方の孔１０Ｂにビス１２を貫通させて、ランプユニット１０をエアーガイド１１上に固着していることから、ランプユニット１１を固着するために、エアーガイド１１の固定用ビス１３以外に専用のビス１２を使用することになり、省資源化、作業性や部品管理面などに課題があった。
【００１０】
【課題を解決するための手段】
前記従来例図１０、図１１および図１２にみられたような部品の運搬効率や変形による調理性能への影響などの課題を解決するために本発明１では、冷却手段が発生する風をガイドするオリフィスと、加熱室内に導くエアーガイドを一体にして平板状に形成し各折り曲げ位置にスリットを設け、オリフィスとエアーガイド間には数個のさんを形成し、高周波加熱装置への組立て時に、オリフィスとエアーガイド間のさんを切断して分離し、次に各スリット位置で折り曲げて所定形状にし、オリフィスとエアーガイドを高周波加熱装置に組み込む構成とした。
【００１１】
このように本発明１では、オリフィスとエアーガイドを一体に平板状に形成して組立工程まで運搬し、オリフィスとエアーガイド間のさんを切断して分離した後、各スリット位置で折り曲げて所定形状とする構成であることから、一度にパレットに積載できる数量が増して運搬効率の課題を解消できるばかりでなく、一体となった単純な形状で運搬されることから、パレットへの出し入れや運搬時の変形はほとんどなく、冷却手段が発生する風を正常にガイドすることができることから、マグネトロンや高圧トランスなどの部品温度が上昇して高周波出力が低下して調理時間が長くなったり、電気部品が破損しやすくなったり、加熱室への風の流れが減少して、調理物が湿っぽくなるといった課題を解消することができる。また、冷却性能や調理性能上重要なオリフィスとエアーガイドを同時に取り扱い管理できることから、異常を把握しやすく安定した性能の高周波加熱装置となる。
【００１２】
前記従来例図１３にみられたような省資源化、作業性や部品管理面での課題を解消するために本発明２では、冷却手段が発生する風をガイドするオリフィスを平板状に形成し、オリフィスを形成する上面とフランジ部、上面と前面および前面と側面間にスリットを設け、オリフィスのフランジ部より上面に延びた保持部（Ａ）と、オリフィスの前面より上面に延びた保持部（Ｂ）を形成し、オリフィス組み込み時に各スリット位置より折り曲げ、保持部（Ａ）および保持部（Ｂ）をオリフィス上面より立ち上げ、オリフィス上面の上方に配置するプリント基板を保持部（Ａ）および保持部（Ｂ）で保持する構成とした。
【００１３】
このように本発明３では、平板状に形成したオリフィスから組み込み時に折り曲げて保持部（Ａ）および保持部（Ｂ）をオリフィス上面より立ち上げ、オリフィス上面の上方に配置するプリント基板を保持する構成としたことから、従来例にみられたようにホルダーなどの部品を必要とせず、省資源化、作業性や部品管理面での課題を解消することができる。
【００１４】
前記従来例図１４および図１５にみられたような省資源化、作業性や部品管理面での課題を解消するために本発明３では、エアーガイド上面に取り付けるランプユニットの一方の孔をエアーガイドに形成した爪に引っかけ、ランプユニットの他端をマグネトロン取付板に形成した突出し部とエアーガイド固定用ビスの頭部で挟持して、ランプユニットをエアーガイド上に保持する構成とした。
【００１５】
このように本発明３では、エアーガイドに形成した爪と、マグネトロン取付板に形成した突出し部とエアーガイド固定用ビスで挟持して、ランプユニットをエアーガイド上面に保持する構成としたことから、ランプユニット保持用に専用のビスを必要とせず、省資源化、作業性や部品管理面での課題を解消することができる。
【００１６】
【発明の実施の形態】
請求項１記載の本発明は、オリフィスとエアーガイドを一体にして平板状に形成し、各折り曲げ位置にスリットを設け、オリフィスとエアーガイド間には数個のさんを形成し、高周波加熱装置への組立て時にさんを切断してオリフィスとエアーガイドを分離した後、各スリット位置で折り曲げてオリフィスとエアーガイドを所定形状に形成し、オリフィスとエアーガイドを高周波加熱装置に組み込む構成とした。
【００１７】
そして、組立工程までは平板状の単純な形状をしたオリフィスとエアーガイドを同時に運搬することができるだけでなく、一度にパレットに積載できる数も増し、運搬効率の課題を解消することができる。そして、オリフィスおよびエアーガイドともに平板状の単純な形状で運搬されることから、パレットへの出し入れ時や運搬時に変形することはほとんどなく、オリフィスの変形によって冷却手段が発生する風を正常にガイドすることができなくなり、マグネトロンや高圧トランスなどの電気部品の温度が上昇し、高周波出力が低下して調理時間が長くなったり、マグネトロンなどの電気部品が破損しやすくなるといった課題や、エアーガイドが変形して加熱室へ流れ込む風が減少し、調理物が湿っぽくなるといった課題を解消することができる。また、冷却性能や調理性能上重要なオリフィスとエアーガイドを同時に取り扱い管理できることから、性能上安定した高周波加熱装置とすることができる。
【００１８】
請求項２記載の本発明は、オリフィスを平板状に形成し、オリフィスを形成する上面とフランジ部、上面と前面および前面と側面間にスリットを設け、フランジ部より上面に延びた保持部（Ａ）と、前面より上面に延びた保持部（Ｂ）を形成し、オリフィスを高周波加熱装置に組み込む時に、オリフィスを各スリット位置より折り曲げて保持部（Ａ）および保持部（Ｂ）を上面より立ち上げ、保持部（Ａ）および保持部（Ｂ）によってオリフィス上面の上方に配置するプリント基板を保持する構成とした。
【００１９】
そして、プリント基板を、従来例にみられたようにホルダーなどの別部品を使用することなく、オリフィス上面に立ち上がった保持部（Ａ）と保持部（Ｂ）によって保持することができることから、省資源化、作業性や部品管理面での課題を解消することができる。
【００２０】
請求項３記載の本発明は、エアーガイド上面に取り付けるランプユニットの一方の孔をエアーガイドに形成した爪に引っかけ、ランプユニットの他端をマグネトロン取付板に形成した突出し部とエアーガイド固定用ビスで挟持して、ランプユニットをエアーガイド上に保持する構成とした。
【００２１】
そして、ランプユニットを専用の固定用ビスを使用することなく、エアーガイドに形成した爪と、マグネトロン取付板に形成した突出し部とエアーガイド固定用ビスの頭部で挟持して、専用のビスを使用する必要もなく、ランプユニットをエアーガイド上に保持することができることから、省資源化、作業性や部品管理面での課題を解消することができる。
【００２２】
【実施例】
以下本発明の実施例について、図面を参照しながら説明する。
【００２３】
（実施例１）
図１は、本発明１のオリフィスとエアーガイドの一体化形状を示した平面図である。図２は、本発明１のオリフィスの形成方法を示した説明図である。図３は、本発明１のエアーガイドの形成方法を示した説明図である。図４は、本発明１のオリフィスとエアーガイドの取付け状態を示した斜視図である。
【００２４】
オリフィス１４とエアーガイド１５は数ケのさん１６によって連結され、一体に平板状に形成されている。オリフィス１４とエアーガイド１５の各折り曲げ位置にはスリット１４Ａおよび１５Ａが付けられており、容易に折り曲げることができる。一体に加工されたオリフィス１４とエアーガイド１５は、部品加工工程より同じパレットに置載されて組立工程に運搬される。組立工程に運ばれたオリフィス１４とエアーガイド１５は、さん１６が切断されて分離されてそれぞれ別部品となる。そして、オリフィス１４とエアーガイド１５の設けられたスリット１４Ａおよび１５Ａの位置で折り曲げることにより、オリフィス１４は図２に示した所定形状に、エアーガイド１５は図３に示した所定形状とすることができる。
【００２５】
このように所定形状に形成されたオリフィス１４とエアーガイド１５は、高周波加熱装置１７に組み込まれ、オリフィス１４は冷却手段１８が発生する風をガイドして、マグネトロン１９や高圧トランス２０などの電気部品を冷却し、エアーガイド１５は冷却手段１８が発生する風を加熱室２１に導くことができる。
【００２６】
このように、本発明１の実施例によれば、オリフィス１４とエアーガイド１５を一回に運搬することができる数量は、一体化し且つ平板状と単純な形状としたことにより従来例と比較して大幅に増加し、運搬効率の課題を解消することができる。
【００２７】
さらに、オリフィス１４およびエアーガイド１５ともに平板状の単純な形状で運搬されることから、パレットへの出し入れ時や運搬時に変形することはほとんどない。また、組立て時に各スリット位置で折り曲げて所定形状に形成されることから変形した状態で組立てられることはほとんどない。したがって、オリフィス１４が変形した状態で組立てられて、冷却手段１８が発生する風を正常にガイドできずに、マグネトロン１９や高圧トランス２０などの温度が上昇して、高周波出力が低下して調理時間が長くなったり、マグネトロン１９などの電気部品が破損しやすくなるといった課題を解消することができる。さらに、エアーガイド１５が変形して組立てられて場合に、加熱室２１へ流れ込む風が減少して蒸気が残留し、調理物が湿っぽくなるといった課題も解消することができる。
【００２８】
上記のように、冷却性能や調理性能上重要なオリフィス１４とエアーガイド１５を同時に取り扱い管理することができることから、従来例のように別々に取り扱っていたよりも部品の異常を把握しやすくなり、性能の安定した高周波加熱装置とすることができる。
【００２９】
（実施例２）
図５は、本発明２のオリフィスの形状を示した平面図である。図６は、本発明２のオリフィスの形成方法を示した説明図である。図７は、本発明２の組立て状態を示した側面図である。
【００３０】
２２はオリフィスであり、フランジ部２３、上面２４、前面２５および側面２６より構成され、上面２４とフランジ部２３間、上面２４と前面２５および前面２５と側面２６間にはそれぞれスリット２４Ａ、２４Ｂ、２５Ａがつけられている。さらに、フランジ部２３より上面２４に延びた保持部（Ａ）２７と、前面２５より上面２４に延びた保持部（Ｂ）２８が形成されている。
【００３１】
このような形状に加工されたオリフィス２２を各スリット位置で折り曲げると保持部（Ａ）２７と保持部（Ｂ）２８が上面２４より立ち上がることになる。図６（Ａ）は折り曲げる前の形状を示し、図６（Ｂ）は折り曲げ後の形状を示している。
【００３２】
このように所定形状にした形成したオリフィス２２を高周波加熱装置２９に組み込めば、保持部（Ａ）２７と保持部（Ｂ）２８でプリント基板３０をオリフィス２２上方に保持することができることから、オリフィス２２が金属材料で形成された場合でも、従来例のようにホルダ−などの別部品を必要とせず、省資源化作業性や部品管理面での課題を解消することができる。
【００３３】
（実施例３）
図８は、本発明３の構成を示した斜視図である。図９は、本発明３の構成を示した側面図である。
【００３４】
３１はランプユニットであり、エアーガイド３２の上に保持されて調理中などに加熱室内を照らし、調理状態が容易に把握できるようにしている。本発明３では、ランプユニット３１の一方の孔３１Ａをエアーガイド３２に形成した爪３２Ａに引っかけ、ランプユニット３１の他端３１Ｂをマグネトロン取付板３３に形成した突出し部３３Ａとエアーガイド固定用ビス３４で挟持して、ランプユニット３１をエアーガイド３２上に保持する構成とした。
【００３５】
この構成により、ランプユニット３１は、爪３２Ａ、突出し部３３Ａとエアーガイド固定用ビス３４によって確実に保持されることになる。エアーガイド固定用ビス３４は、エアーガイド固定用として従来より使用されているのもであり本発明３で追加されるものではない。
【００３６】
このように、ランプユニット３１は、専用のビスを使用することなくエアーガイド３２上に保持されることから、従来例より使用部品を減じることができ、省資源化、作業性や部品管理面での課題を解消することができる。
【００３７】
【発明の効果】
以上のように、請求項１記載の発明によれば、オリフィス１４とエアーガイド１５を一体にして平板状に形成し、各折り曲げ位置にスリット１４Ａおよび１５Ａを設け、オリフィス１４とエアーガイド１５間に数個のさん１６を形成し、高周波加熱装置１７への組み込み時にさん１６を切断してオリフィス１４とエアーガイド１５を分離し、スリット位置より折り曲げてオリフィス１４とエアーガイド１５を所定形状に形成し、オリフィス１４とエアーガイド１５を高周波加熱装置１７に組み込む構成としたことにより、オリフィス１４とエアーガイド１５を部品加工工程から組立工程に一度に多く運搬することが可能となり、運搬効率の課題を解消することができる。また、平板状で単純な形状であることから、パレットへの出し入れ時や運搬時の変形はほとんどなく、オリフィス１４が変形して調理時間が延びたり、エアーガイド１５が変形して調理物が湿っぽくなるといった課題を解消することができる。また、オリフィス１４とエアーガイド１５を同時に取り扱い管理できることから、異常を把握しやすく、安定した性能の高周波加熱装置となる。
【００３８】
以上のように、請求項２記載の発明によれば、オリフィス２２を高周波加熱装置２９に組み込む時に、オリフィス２２を各スリット位置で折り曲げて保持部（Ａ）２７および保持部（Ｂ）２８をオリフィス２２の上面２４より立ち上げ、オリフィス上面２４上にプリント基板３０を保持部（Ａ）２７と保持部（Ｂ）２８によって保持する構成としたことにより、オリフィス２２が金属で形成された場合も、従来例のようにホルダーといった別部品を使用する必要もないことから、省資源化、作業性や部品管理面での課題を解消することができる。
【００３９】
以上のように、請求項３記載の発明によれば、ランプユニット３１の一方孔３１Ａをエアーガイド３２に形成した爪３２Ａにひっかけ、ランプユニットの他端３１Ｂをマグネトロン取付板３３に形成した突出し部３３Ａとエアーガイド固定用ビス３４で挟持して、ランプユニット３１をエアーガイド３２上に保持する構成としたことにより、従来例のように専用のビスを使用することなく、ランプユニット３１をエアーガイド３２上に保持することができることから、省資源化、作業性や部品管理面での課題を解消することができる。
【図面の簡単な説明】
【図１】本発明の実施例１におけるオリフィスとエアーガイドの一体化形状を示した平面図
【図２】本発明の実施例１におけるオリフィスの形成方法を示した説明図
【図３】本発明の実施例１におけるエアーガイドの形成方法を示した説明図
【図４】本発明の実施例１におけるオリフィスとエアーガイドの取付け状態を示した斜視図
【図５】本発明の実施例２におけるオリフィスを示した平面図
【図６】本発明の実施例２におけるオリフィス形成方法を示した説明図
【図７】本発明の実施例２における組立て状態を示した側面図
【図８】本発明の実施例３における構成を示した斜視図
【図９】本発明の実施例３における構成を示した側面図
【図１０】従来例１のオリフィスとエアーガイドの取付け状態を示した斜視図
【図１１】従来例１のオリフィス形状を示した斜視図
【図１２】従来例１のエアーガイド形状を示した斜視図
【図１３】従来例２のプリント基板取付け状態を示した側面図
【図１４】従来例３のランプユニット取付け方法を示した斜視図
【図１５】従来例３のランプユニットの取付け状態を示した側面図
【符号の説明】
１４　オリフィス
１４Ａ　スリット
１５　エアーガイド
１５Ａ　スリット
１６　さん
２２　オリフィス
２３　フランジ部
２４　上面
２４Ａ　スリット
２４Ｂ　スリット
２５　前面
２５Ａ　スリット
２６　側面
２７　保持部（Ａ）
２８　保持部（Ｂ）
３０　プリント基板
３１　ランプユニット
３１Ａ　孔
３１Ｂ　他端
３２　エアーガイド
３２Ａ　孔
３３　マグネトロン取付板
３３Ａ　突出し部
３４　固定用ビス
【図１】
2004101040.tif 000003
【図２】
2004101040.tif 000004
【図３】
2004101040.tif 000005
【図４】
2004101040.tif 000006
【図５】
2004101040.tif 000007
【図６】
2004101040.tif 000008
【図７】
2004101040.tif 000009
【図８】
2004101040.tif 000010
【図９】
2004101040.tif 000011
【図１０】
2004101040.tif 000012
【図１１】
2004101040.tif 000013
【図１２】
2004101040.tif 000014
【図１３】
2004101040.tif 000015
【図１４】
2004101040.tif 000016
【図１５】
2004101040.tif 000017